(57)【要約】【課題】使用者が快適にリフトアップを行うことができる美容具を提供する。【解決手段】美容具１は、仰向けに横たわる人の背側上部を支持する第１の支持部１０と、第１の支持部１０に背側上部を支持される人の頭部を下方に傾けて支持する第２の支持部２０と、を備える。第２の支持部２０は、第１の支持部１０に対する角度を変更可能であるのが好ましい。【選択図】図１
2017185008.tif 000002
【特許請求の範囲】
【請求項１】
仰向けに横たわる人の背側上部を支持する第１の支持部と、
前記第１の支持部に背側上部を支持される人の頭部を下方に傾けて支持する第２の支持部と、
を備えることを特徴とする美容具。
【請求項２】
前記第１の支持部及び前記第２の支持部によって所定の位置を支持される人の頸部との接触を避ける空間部が形成されていることを特徴とする請求項１に記載の美容具。
【請求項３】
前記第１の支持部の人の背側上部を支持する面は傾斜面を有し、
前記第１の支持部の前記傾斜面と反対側の面は、外方に向けて凸となる湾曲形状を有していることを特徴とする請求項１又は２に記載の美容具。
【請求項４】
前記第２の支持部は、前記第１の支持部に対する角度を変更可能に設けられていることを特徴とする請求項１から３のいずれか１項に記載の美容具。
【請求項５】
前記第２の支持部の前記第１の支持部に対する角度は任意に設定可能であることを特徴とする請求項４に記載の美容具。
【請求項６】
前記第２の支持部は、前記第１の支持部に対して回動可能に連結されていることを特徴とする請求項４又は５に記載の美容具。
【請求項７】
前記第１の支持部及び前記第２の支持部を支持する棒状部材を更に備えることを特徴とする請求項６に記載の美容具。
【請求項８】
前記第１の支持部は、互いに分離した第１の部分と第２の部分とを有し、
前記第１の部分と前記第２の部分とは、前記第２の支持部と前記棒状部材との連結箇所を挟むように配置されていることを特徴とする請求項７に記載の美容具。
【請求項９】
前記第１の部分と前記第２の部分とは、前記棒状部材に沿って移動可能に設けられていることを特徴とする請求項８に記載の美容具。
【請求項１０】
前記第１の支持部は、前記棒状部材に対して回動可能に設けられ、
前記２の支持部は、前記棒状部材に対して固設されていることを特徴とする請求項７から９のいずれか１項に記載の美容具。
【発明の詳細な説明】
【技術分野】
【０００１】
本発明は、美容具に関し、詳細には顔のリフトアップ（フェイスアップ）を行うための美容具に関する。なお、顔のリフトアップとは、頬、額、あご等のフェイスラインを引き上げることを指す。当該リフトアップによって、顔の皮膚表面の皺を浅くする効果等が期待できる。
【背景技術】
【０００２】
従来、顔のリフトアップによって皺を解消する美容具が知られている。例えば、特許文献１には、顎、頬、頭部を被覆体で被覆して、顔の筋肉を引き上げてその筋肉の弛みを予防、矯正する美容具が開示されている。
【０００３】
また、特許文献２には、頭部の左右こめかみ部に近い毛髪を挟持し該頭部の左右両側に取り外し可能に止着される左右１対のクリップと、後頭部に沿って装着され、前記毛髪に止着された前記１対のクリップ同士を互いに後頭部側に引き寄せた状態で保持する紐とから構成される顔のしわ矯正具が開示されている。
【先行技術文献】
【特許文献】
【０００４】
【特許文献１】特開２００７−２０７０９号公報
【特許文献２】特開２００９−１５３７６８号公報
【発明の概要】
【発明が解決しようとする課題】
【０００５】
特許文献１や２に開示される美容具は、いずれも人の頭部等に装着することによってリフトアップを行う。このような美容具は、装着に伴う締め付け等によって、使用者に不快感を与えることが懸念される。また、使用者が、頭部に装着するための作業を煩わしく感じたり、装着時の姿を見られたくないという思いを抱いたりすることが懸念される。
【０００６】
以上の点に鑑みて、本発明の目的は、使用者が快適に顔のリフトアップを行うことができる美容具を提供することである。また、本発明の他の目的は、簡単な構造で顔のリフトアップを行えるとともに使い勝手の良い美容具を提供することである。
【課題を解決するための手段】
【０００７】
上記目的を達成するために本発明の美容具は、仰向けに横たわる人の背側上部を支持する第１の支持部と、前記第１の支持部に背側上部を支持される人の頭部を下方に傾けて支持する第２の支持部と、を備える構成（第１の構成）になっている。
【０００８】
本構成の美容具は、重力（地球の引力）を利用して簡単に顔のリフトアップを行うことができる。本構成の美容具の使用者は、仰向けに横たわって頭を下方に傾けるだけで顔のリフトアップを行うことができる。このために、本構成の美容具は、使い勝手が良く、使用者に不快感を与える可能性を低くできる。
【０００９】
上記第１の構成の美容具には、前記第１の支持部及び前記第２の支持部によって所定の位置を支持される人の頸部との接触を避ける空間部が形成されている構成（第２の構成）であるのが好ましい。本構成によれば、リフトアップ時に、使用者の頸部が圧迫されることを避けることができる。このために、使用者は快適にリフトアップを行うことができる。
【００１０】
上記第１又は第２の構成の美容具において、前記第１の支持部の人の背側上部を支持する面は傾斜面を有し、前記第１の支持部の前記傾斜面と反対側の面は、外方に向けて凸となる湾曲形状を有している構成（第３の構成）であるのが好ましい。本構成によれば、美容具の使用者の体格に合わせて傾斜面の角度を変更でき、様々な体格の使用者が快適に美容具を利用できる。
【００１１】
上記第１から第３のいずれかの構成の美容具において、前記第２の支持部は、前記第１の支持部に対する角度を変更可能に設けられている構成（第４の構成）であるのが好ましい。本構成によれば、例えば使用者の体の状態等に合わせて頭部を下方に傾ける角度を変更できる。このために、使用者は無理な姿勢となることなく、リフトアップを行うことができる。
【００１２】
上記第４の構成の美容具において、前記第２の支持部の前記第１の支持部に対する角度は任意に設定可能である（第５の構成）のが好ましい。本構成によれば、例えば使用者の体の状態、体格、好み等に合わせて第２の支持部の傾きを調整することができ、美容具の使い勝手の向上が期待できる。
【００１３】
上記第４又は第５の構成の美容具において、前記第２の支持部は、前記第１の支持部に対して回動可能に連結されている構成（第６の構成）であるのが好ましい。本構成によれば、第２の支持部を角度変更可能とする構成を簡単な構造で実現し易く、美容具の製造コストを低減できる。
【００１４】
上記第６の構成の美容具は、前記第１の支持部及び前記第２の支持部を支持する棒状部材を更に備える構成（第７の構成）であってよい。本構成によれば、美容具を簡単な構造として、美容具の製造コストを低減できる。
【００１５】
上記第７の構成の美容具において、前記第１の支持部は、互いに分離した第１の部分と第２の部分とを有し、前記第１の部分と前記第２の部分とは、前記第２の支持部と前記棒状部材との連結箇所を挟むように配置されている構成（第８の構成）が採用されてよい。本構成のように第１の支持部を２つの部分に分離すると、上述の空間部を得易い。また、本構成のように第１の支持部を２つの部分に分離すると、美容具をコンパクトな状態として収納し易くできる。
【００１６】
上記第８の構成の美容具において、前記第１の部分と前記第２の部分とは、前記棒状部材に沿って移動可能に設けられている構成（第９の構成）であるのが好ましい。本構成によれば、第１の支持部の状態を使用者の体格に合わせて調節できる。また、本構成によれば、第１の部分と第２の部分とを棒状部材から取り外し易い。
【００１７】
上記第７から第９のいずれかの構成の美容具において、前記第１の支持部は、前記棒状部材に対して回動可能に設けられ、前記２の支持部は、前記棒状部材に対して固設されている構成（第１０の構成）であってよい。
【発明の効果】
【００１８】
本発明によれば、使用者が快適に顔のリフトアップを行うことができる美容具を提供できる。また、本発明によれば、簡単な構造で顔のリフトアップを行えるとともに使い勝手の良い美容具を提供できる。
【図面の簡単な説明】
【００１９】
【図１】本発明の実施形態に係る美容具の構成を示す概略斜視図
【図２】本発明の実施形態に係る美容具の構成を示す概略正面図
【図３】本発明の実施形態に係る美容具の構成を示す概略平面図
【図４】本発明の実施形態に係る美容具の構成を示す概略側面図
【図５】本発明の実施形態に係る美容具が備える第１の支持部の詳細構成を示す側面図
【図６】本発明の実施形態に係る美容具の使用例を示す概略側面図
【図７】本発明の実施形態に係る美容具の使用例を示す概略正面図
【図８】本発明の実施形態に係る美容具の作用を説明するための概略図
【図９】本発明の実施形態に係る美容具の変形例を説明するための概略図
【発明を実施するための形態】
【００２０】
以下、本発明の実施形態に係る美容具について、図面を参照しながら詳細に説明する。
【００２１】
図１は、本発明の実施形態に係る美容具１の構成を示す概略斜視図である。図２は、本発明の実施形態に係る美容具１の構成を示す概略正面図である。図３は、本発明の実施形態に係る美容具１の構成を示す概略平面図である。図４は、本発明の実施形態に係る美容具１の構成を示す概略側面図である。美容具１は、重力（地球の引力）を利用して顔のリフトアップを行う道具である。
【００２２】
美容具１は、仰向けに横たわる人の背側上部を支持する第１の支持部１０を備えている。詳細には、第１の支持部１０は、仰向けに横たわる人の背側上部を支持する傾斜面Ｓを有している。また、第１の支持部１０は、互いに分離した第１の部分１０１と、第２の部分１０２とを有している。第１の部分１０１と第２の部分１０２とは同一形状であり、大まかに表現すると、細長い台形柱形状である。２つの部分１０１、１０２は、特に限定する趣旨ではないが、クッション性を有する部材で形成されるのが好ましい。２つの部分１０１、１０２は、例えばポリエチレンやポリウレタン等の樹脂を用いて構成できる。
【００２３】
第１の支持部１０を構成する各部分１０１、１０２が備える傾斜面Ｓは、平面であっても曲面であってもよい。傾斜面Ｓと反対側の面Ｃは平面でもよいが、本実施形態では、外方に向けて凸となる湾曲形状を有している。このような形状とする理由については後述する。第１の部分１０１及び第２の部分１０２の長手方向の一端部側には、それぞれ、１つの貫通孔１０３が形成されている。貫通孔１０３は、平面視において略円形状である。
【００２４】
美容具１は、第１の支持部１０に背側上部を支持される人の頭部を下方に傾けて支持する第２の支持部２０を備えている。詳細には、第２の支持部２０は、頭部を載せる載せ部２０１を有する。載せ部２０１の形状は、特に限定する趣旨ではないが、略円柱形状になっている。また、載せ部２０１は、第１の支持部１０と同様に、クッション性を有する部材で形成されるのが好ましい。載せ部２０１は、その両端を挟むように配置される一対の連結バー２０２ａ、２０２ｂによって支持されている。第２の支持部２０は、第１の支持部１０に対する角度を変更可能に設けられている。この点の詳細については後述する。
【００２５】
美容具１は、第１の支持部１０が取り付けられる棒状部材３０を備えている。棒状部材３０は、概ね円柱形状である。第１の部分１０１の貫通孔１０３、及び、第２の部分１０２の貫通孔１０３に棒状部材３０が嵌合され、これにより、第１の支持部１０は棒状部材３０に支持された状態になっている。
【００２６】
第２の支持部２０も、棒状部材３０に支持されている。詳細には、一対の連結バー２０２ａ、２０２ｂの各一端が、棒状部材３０の中央部近傍に間隔をあけて固設されている。一対の連結バー２０２ａ、２０２ｂは、棒状部材３０の長手方向の中央部を挟んで対称配置されている。一対の連結バー２０２ａ、２０２ｂの間には空間が形成されている。
【００２７】
本実施形態では、一対の連結バー２０２ａ、２０２ｂは、棒状部材３０と一体的に形成されている。すなわち、一対の連結バー２０２ａ、２０２ｂは、棒状部材３０と同一部材になっている。棒状部材３０は、特に限定されるものではないが、例えば樹脂又は金属によって形成される。なお、一対の連結バー２０２ａ、２０２ｂは、棒状部材３０とは別部材であってもよい。別部材とされる場合には、一対の連結バー２０２ａ、２０２ｂは、例えば留め具によって棒状部材３０に固着される。
【００２８】
第１の部分１０１及び第２の部分１０２に形成される貫通孔１０３の直径は、棒状部材３０の直径よりも若干大きく設けられている。このために、棒状部材３０は、第１の支持部１０に対して回動可能である。換言すると、棒状部材３０に固設される第２の支持部２０は、図４に破線で示すように、第１の支持部１０に対して回動可能に連結されている。当該回動によって、第２の支持部２０は、第１の支持部１０に対する角度を変更できる。なお、第２の支持部２０の第１の支持部１０に対する角度は任意に設定可能である。この点の詳細については後述する。
【００２９】
また、貫通孔１０３の直径が棒状部材３０の直径よりも若干大きいために、第１の部分１０１及び第２の部分１０２は、図３に破線で示すように、棒状部材３０に沿って移動可能である。２つの部分１０１、１０２は、棒状部材３０の中央部に近づけようとすると、連結バー２０２ａ、２０２ｂに衝突する。このために、２つの部分１０１、１０２は、互いに当接することなく、第２の支持部２０と棒状部材３０との連結箇所を挟むように離れて配置される。
【００３０】
なお、本実施形態では、２つの部分１０１、１０２は、棒状部材３０に沿ってスライド移動することによって棒状部材３０から取り外すことができる。２つの部分１０１、１０２は、いずれも、スライド移動可能な範囲において任意の位置で固定することができる。この点の詳細については後述する。
【００３１】
図５は、本発明の実施形態に係る美容具１が備える第１の支持部１０の詳細構成を示す側面図である。図５（ａ）は、美容具１が使用されていない（美容具１に人が載っていない）場合の状態を示している。図５（ｂ）は、美容具１が使用されている（人が載っている）場合の状態を示している。
【００３２】
図５（ａ）に示すように、第１の支持部１０を構成する第１の部分１０１及び第２の部分１０３は、いずれも内部に隙間１０４を有している。なお、隙間１０４の構造は、第１の部分１０１と第２の部分１０２とで同じである。このために、第１の部分１０１を例に、隙間１０４の構造を説明する。
【００３３】
隙間１０４は略直方体形状を有している。隙間１０４の上下は、第１の部分１０１の内部に形成される壁面に面している。隙間１０４の４つの側面のうちの１つは貫通穴１０３に面している。また、残りの３つは、外部に面している。すなわち、第１の部分１０１は、一部が隙間１０４を境に上下に分離した構造になっている。
【００３４】
仰向けに横たわる人の背側上部が傾斜面Ｓに載せられると、図５（ｂ）に示すように矢印で示す力が加わり、隙間１０４が狭められる。これに伴って貫通穴１０３も変形して、棒状部材３０を挟み込む力が生じる。これにより、棒状部材３０は、第１の支持部１０に対して動かなくなり、第２の支持部２０の第１の支持部１０に対する角度を固定できる。また、第１の部分１０１及び第２の部分１０２の棒状部材３０に対する位置を固定できる。そして、以上のような構造を利用するために、第２の支持部２０の第１の支持部１０に対する角度は任意に設定可能である。また、第１の部分１０１及び第２の部分１０２は、いずれも、スライド移動可能な範囲において任意の位置で固定することができる。
【００３５】
図６は、本発明の実施形態に係る美容具１の使用例を示す概略側面図である。図７は、本発明の実施形態に係る美容具１の使用例を示す概略正面図である。図６及び図７においては、破線で美容具１の使用者が示されている。主に、図６及び図７を参照しながら美容具１の使用例について説明する。
【００３６】
美容具１を使用するにあたっては、使用者の体格に合わせて、棒状部材３０の中央部を基準に略対称配置される２つの部分１０１、１０２の間隔が調整される。体格が大きい人が利用する場合、体格が小さな人が利用する場合に比べて、２つの部分１０１、１０２の間隔が大きくされる。詳細には、第１の部分１０１には使用者の右側の肩甲骨が載り、第２の部分１０２には使用者の左側の肩甲骨が載るように、２つの部分１０１、１０２の位置は調整される。
【００３７】
また、美容具１を使用するにあたっては、第２の支持部２０の第１の支持部１０に対する角度が調整される。第２の支持部２０の角度によって、使用者が頭を後方に反らす角度を変更できる。角度は、例えば使用者の年齢、健康状態、希望等によって適宜決定すればよい。例示にすぎないが、頭が後方に反る角度が５°〜２０°の範囲内となるように、第２の支持部２０の角度は調整される。貫通穴１０３の直径は棒状部材３０の直径とほぼ等しいのが好ましい。このようにすれば、手を離しても（支えをなくても）角度調整した状態をある程度維持できるために、使用前の角度調整が行い易い。
【００３８】
図６及び図７に示すように、美容具１の使用者は、第１の支持部１０によって体の頭部側を持ち上げられる。このために、頭部を下方に向けて傾けることができる。そして、使用者の頭部は下方に向けて傾いた状態で載せ部２０１に支持される。このために、重力の作用によって頬、額、あご等のフェイスラインを引き上げることができる。そして、当該リフトアップ（フェイスアップ）によって顔のしわを浅くする等の効果が得られる。美容具１の使用者は、仰向けに横たわって頭を下方に向けて傾けるだけで顔のリフトアップを行えるために、美容具１は非常に使い勝手が良い。
【００３９】
なお、美容具１には、第１の支持部１０及び第２の支持部２０によって所定の位置を支持される使用者の頸部との接触を避ける空間部１１が形成されている。このために、美容具１の使用者は、頭部を下方に傾けてリフトアップ効果を得ている際に、頸部が圧迫され難い。このために、使用時に頸部において血行不良が起き難く、使用者は快適にリフトアップ効果を得ることができる。
【００４０】
また、美容具１は、上述のように、傾斜面Ｓと反対側の面Ｃが外方に向けて凸となる湾曲形状を有している。このために、美容具１は、図８に実線と破線で示すように、使用者の体格に合わせて床Ｆとの接触状態を変えて傾斜面Ｓの床Ｆに対する傾斜角度を変更できる。図８の実線は比較的体格の大きな人が利用する状態で、図８の破線は比較的体格の小さな人が利用する状態である。本構成によれば、体格の異なる人が第１の支持部１０の同様の位置に載せられた場合でも、両者はいずれも無理な姿勢となることなく美容具１を使用できる。両者は、同様の部位を床Ｆに当接させることになり、無理な姿勢にならない。
【００４１】
以上に示した実施形態は、本発明の例示にすぎない。以上に示した実施形態の構成は、本発明の技術的思想を超えない範囲で適宜変更されてよい。
【００４２】
例えば、以上に示した実施形態では、第１の支持部１０を第１の部分１０１と第２の部分１０２とに分ける構成としたが、これは例示にすぎない。図９に示すように、第１の支持部１０は１つ部分で構成されてもよい。この場合でも、美容具１には、第１の支持部１０及び第２の支持部２０によって所定の位置を支持される使用者の頸部との接触を避ける空間部１１が形成されるのが好ましい。
【００４３】
なお、本実施形態のように第１の支持部１０を２つの部分１０１、１０２に分離した場合、美容具１を分解した場合にコンパクトに収納し易くできるという利点がある。また、第１の支持部１０を２つの部分１０１、１０２に分離した構成を採用する場合には、２つの部分１０１、１０２の棒状部材３０に対する角度が別々な角度にならないように、２つの部分１０１、１０２を連結する棒状部材を複数としてもよい。
【００４４】
また、以上に示した実施形態では、第２の支持部２０の第１の支持部１０に対する角度は任意に設定可能である構成とした。しかし、これは例示にすぎず、角度は段階的に切り替えられる構成であってもよい。この場合、例えばワンウェイクラッチ等を利用して、第２の支持部２０の角度を切り替えられるようにしてもよい。また、段階的に角度変更を行うために、第２の支持部２０は取り外し式であってもよい。なお、第２の支持部２０の角度を任意の位置に切り替えることができる構造（機構）についても、以上に示した実施形態の構成とは異なるものとしてもよい。
【００４５】
また、以上に示した実施形態では、棒状部材３０が第１の支持部１０に対して回動することによって、第２の支持部２０が第１の支持部１０に対して回動する構成とした。しかし、これは例示にすぎない。第２の支持部２０が棒状部材３０に対して回動可能に設けられることによって、第２の支持部２０が第１の支持部１０に対して回動する構成としてもよい。
【００４６】
また、以上に示した実施形態では、第１の支持部１０と第２の支持部２０とが連結されて一体になっている構成を示した。しかし、これは例示にすぎない。上体を支持する第１の支持部と、頭部を支持する第２の支持部とは分離していても構わない。この構成においては、例えば、第２の支持部を上下方向に伸縮可能として、頭部を後方に傾ける角度を変更できるようにしてもよい。
【００４７】
また、以上においては、本発明の美容具が顔のリフトアップに使用される場合を説明した。しかし、本発明の美容具は、顔のリフトアップ以外に使用されてよい。載せ部２０１が人体に当たる場所を変更して、本発明の美容具は、例えば頸椎を牽引するために使用されてもよい。頸椎牽引を行うと、例えば、顔の緊張を取り除いてリラックスさせることができる。このリラックス効果を得た後に、パックを併用して本発明の美容具を用いた顔のリフトアップを行うと、リフトアップ効果をより得易くなる。
【符号の説明】
【００４８】
１    美容具
１０  第１の支持部
１１  空間部
２０  第２の支持部
３０  棒状部材
１０１  第１の部分
１０２  第２の部分
Ｓ  傾斜面
Ｃ  傾斜面と反対側の面
【図１】
2017185008.tif 000003
【図２】
2017185008.tif 000004
【図３】
2017185008.tif 000005
【図４】
2017185008.tif 000006
【図５】
2017185008.tif 000007
【図６】
2017185008.tif 000008
【図７】
2017185008.tif 000009
【図８】
2017185008.tif 000010
【図９】
2017185008.tif 000011